(57)【要約】【課題】シール性と定量供給の性能を兼ね備えたスクリュー式廃棄物供給装置を提供する【解決手段】  ごみが投入されるごみホッパ４と、ごみホッパ４の底部に設けられてごみホッパ４内のごみを次工程に排出供給するスクリューコンベア５を有してなるスクリュー式廃棄物供給装置において、前記スクリューコンベア５のスクリュー軸５ａの中心より上側でかつスクリュー軸５ａの回転によりごみが引き込まれる側の前記ごみホッパ４の側壁４ｂを、前記スクリュー軸５ａ長手方向に直交する断面でみたとき、前記スクリュー軸５ａ側に傾斜させる。【選択図】図１
2008303013.tif 000002
【特許請求の範囲】
【請求項１】
ごみが投入されるホッパと、このホッパの底部に設けられて前記ホッパ内のごみを次工程に排出供給するスクリューコンベアを有してなり、前記スクリューコンベアは、スクリュー軸とその周囲に植設されたスクリュー羽根からなるスクリューと、このスクリューの下方に配置されてスクリューを囲むとともに前記ホッパの底部をなす下部ケーシングを備え、前記スクリュー軸の中心より上側でかつ前記スクリューの回転によりごみが引き込まれる側の前記ホッパの壁面が、前記スクリュー軸長手方向に直交する断面において、前記スクリュー軸側に傾斜している形状であることを特徴とするスクリュー式廃棄物供給装置。
【請求項２】
請求項１記載のスクリュー式廃棄物供給装置において、前記スクリュー軸長手方向に直交する断面での前記下部ケーシングは、スクリュー軸中心を中心とする円弧をなし、ごみが引き込まれる側の下部ケーシングは前記円弧を同じ曲率でスクリュー軸中心より上側にまで延長する形状に延伸され、前記スクリュー軸側に傾斜している壁面は、前記延伸された部分に接続してその上部に設けられていることを特徴とするスクリュー式廃棄物供給装置。
【請求項３】
請求項１または２記載のスクリュー式廃棄物供給装置において、スクリュー軸側に傾斜している前記壁面の傾斜角度は、スクリュー軸長手方向に直交する断面におけるスクリュー軸中心から前記壁面に垂線をなす方向における前記壁面とスクリュー羽根の半径方向先端の間隔が、前記下部ケーシングとスクリュー羽根先端の半径方向間隔以下になるように設定されていることを特徴とするスクリュー式廃棄物供給装置。
【請求項４】
請求項１〜３のいずれかに記載のスクリュー式廃棄物供給装置において、前記ホッパ内のごみ堆積レベルを検知出力する堆積レベル検知手段と、前記ホッパに投入されたごみのスクリュー軸長手方向落下位置を変更可能なごみ投入位置変更手段を備え、前記ごみ投入位置変更手段は堆積レベル検知手段のごみレベル検出値を入力として動作することを特徴とするスクリュー式廃棄物供給装置。
【請求項５】
請求項４に記載のスクリュー式廃棄物供給装置において、前記ごみ投入位置変更手段は回転軸の周囲に揺動して所望の姿勢に固定される板状部材を含んでなり、該板状部材はその上面に落下したごみをその傾斜面に沿ってすべり落とすことで、ごみのホッパへの落下位置を変更させることを特徴とするスクリュー式廃棄物供給装置。
【請求項６】
請求項４に記載のスクリュー式廃棄物供給装置において、前記ごみ投入位置変更手段は、ホッパに投入されたごみが通過する位置に進退可能に配置された板状部材を含んでなり、該板状部材は、先端側が低くなる方向に傾斜した状態で進退するように構成されていることを特徴とするスクリュー式廃棄物供給装置。
【請求項７】
請求項１〜６のいずれかに記載のスクリュー式廃棄物供給装置において、前記スクリュー軸には、複数のスクリュー羽根が植設され、そのうちの少なくとも一つは、スクリューコンベアの出側部分にのみ設けられている短いスクリュー羽根であることを特徴とするスクリュー式廃棄物供給装置。
【請求項８】
請求項７に記載のスクリュー式廃棄物供給装置において、前記短いスクリュー羽根は、その半径方向高さが、スクリューコンベアの出側端部では他のスクリュー羽根と同じ高さであり、該短いスクリュー羽根の反対側端部では、半径方向高さが次第に低くなるように形成されていることを特徴とするスクリュー式廃棄物供給装置。
【発明の詳細な説明】
【技術分野】
【０００１】
本発明はごみ焼却施設やガス化溶融施設のごみ供給装置に係り、特に、スクリューコンベアによりごみを次工程に供給するスクリュー式廃棄物供給装置に関する。
【背景技術】
【０００２】
これまでの流動床式ごみ焼却炉やガス化炉では、例えば特許文献１記載のように、スクリューコンベアでのごみ供給が一般的である。これまではスクリューコンベアの直上に設けたホッパ内にごみを投入する際、ごみの堆積レベルを高く維持することや、出口トンネル部で圧密させることでマテリアルシールを確保し、供給系統から焼却炉及びガス化炉への漏れこみ空気を抑えてきた。そのため、ごみの自重による圧密やホッパ内におけるごみのブリッジ現象により、焼却炉やガス化炉へのごみの供給が安定せず、ごみ供給装置出口から炉内に多量のごみがまとまって落ち込むドサ落ちが発生しやすい。ごみの場合、季節，曜日或いは１日の中でも比重に大きな変動があり、搬送設備の搬送速度が安定せず、供給特性が変化し燃焼が安定しない。特に比重が小さいときにはスクリューコンベアへの噛みこみが悪くなり、ドサ落ちが出て供給が安定しない。
【０００３】
つまり、マテリアルシールを強化するとスクリュー内でのごみの圧密やごみ噛み込みのムラが発生して供給が安定せず、ドサ落ちも頻発し燃焼が安定しない。これまでの実績から供給を安定させるためにはスクリュー上にはごみを溜めないほうが望ましいが、ごみを溜めないとシール性が安定しない。マテリアルシールと定量供給性は相反する関係にある。
【０００４】
２軸式スクリューコンベアの場合、ホッパ内のごみ全体が排出口側に寄り、押し付けられ、圧密される傾向にある。シール性は確保しやすいが反面排出部での圧密による供給不安定が発生する。そのため、解決策として圧密を解消するためのプッシャー機能が設けられているのが一般的である。
【０００５】
一方、１軸式スクリューコンベアの場合は、投入されたごみが前方（排出口側）に移動してごみが排出口側に寄ることがなく、ホッパ内のごみは排出口側から減り始めて後方側にごみが残る傾向にある。即ち、ホッパ内のごみは、排出口側が低くなるように傾斜して堆積する状態になりやすい。そのため、ホッパ内に全体としてはごみが堆積されていても、排出口側のごみが少なくなった場所から堆積ごみによるマテリアルシールが切れてしまう。
【０００６】
ガス化溶融炉の場合では２軸式スクリューコンベアが多く、ホッパ上部にシール機構を、ホッパ下部に供給装置を、互いに上下に分離して設ける場合があるが、この場合には供給装置にはごみを堆積させない方式が一般的である。しかしながら、この場合においてもシール機構から供給装置への定量的なごみの供給等で課題があり、また、シール機構と搬送機構を分離するため配置スペースが大きくなる。
【０００７】
さらに、ロータリ式の給じんシール装置の場合には、例えば特許文献２記載のように、ロータリとケーシングのクリアランスを小さくすることによりシールを確保する構造となっている。しかし、この場合、経年的な摩耗によりクリアランスが大きくなりシール性が劣化することが避けられない。
【０００８】
【特許文献１】特開昭６１−３６６１５号公報
【特許文献２】特開平０８−６１６２３号公報
【発明の開示】
【発明が解決しようとする課題】
【０００９】
従来の廃棄物供給設備では、ホッパに高くごみを積み上げることやスクリューコンベア出口部のスクリューとケーシングの間隙にごみを適度に圧密させることで炉内への漏れこみ空気を低減或いは遮断しようとしていた。しかし、この方法ではホッパのごみ堆積レベルの高さ、ホッパ内のごみの挙動或いはごみ性状の変動によりシール性にムラがあった。また、スクリューコンベア出口部で圧密させるため大きな動力を必要としていた。そして、スクリューコンベア出口部で過度の圧密が生じた場合、ごみの排出が安定せず、ドサ落ちが発生しやすい状態にあった。
【００１０】
これまでの運転状況から、ホッパにごみを積んで運転した場合にはドサ落ちの前にほとんどの場合、ごみ切れが発生する。ドサ落ちがあるとその燃焼で大量のガスが発生し、炉内圧力が急上昇する。これが繰り返されると燃焼が安定しない。一方、ホッパにごみを積まずに、スクリューが隠れる程度で運転した場合には、ドサ落ちによる炉内圧力変動の発生を少なくできる。しかしながらこの場合にはシール性が確保できず、炉内への漏れこみ空気が増大する。
【００１１】
この対策として、従来の装置はホッパ上部にセンサを設けてごみの堆積状況を監視し、ホッパ全体にごみが堆積されるようにしてごみによるマテリアルシールを行っていたが、シール性を重視するあまりごみの自重による圧密、ブリッジに関して考慮が十分ではなかった。特に一軸のスクリューコンベアでは、ごみはスクリューとケーシングの間に噛み込まれながら搬送されるので、ケーシング内面とごみの摩擦がごみの性状により変化することの影響が二軸のスクリューコンベアに比較して大きい。このため、スクリューへのごみの噛み込みが不安定になりやすく、ごみの供給が変動しやすい。
【００１２】
本発明の課題は、シール性と定量供給の性能を兼ね備えたスクリュー式廃棄物供給装置を提供することにある。
【課題を解決するための手段】
【００１３】
上記課題は、ごみが投入されるホッパと、このホッパの底部に設けられて前記ホッパ内のごみを次工程に排出供給するスクリューコンベアを有してなり、前記スクリューコンベアは、スクリュー軸とその周囲に植設されたスクリュー羽根からなるスクリューと、このスクリューの下方に配置されてスクリューを囲むとともに前記ホッパの底部をなす下部ケーシングを備え、前記スクリュー軸の中心より上側でかつ前記スクリューの回転によりごみが引き込まれる側の前記ホッパの壁面が、前記スクリュー軸長手方向に直交する断面において、前記スクリュー軸側に傾斜している形状であることを特徴とするスクリュー式廃棄物供給装置により解決される。
【００１４】
前記スクリュー軸長手方向に直交する断面での前記下部ケーシングは、スクリュー軸中心を中心とする円弧をなし、ごみを引き込まれる側の下部ケーシングは前記円弧を同じ曲率でスクリュー軸中心より上側にまで延長する形状に延伸され、前記スクリュー軸側に傾斜している壁面は、前記延伸された部分に接続してその上部に設けられていることとしてもよい。
【００１５】
スクリュー軸側に傾斜している前記壁面の傾斜角度は、スクリュー軸長手方向に直交する断面におけるスクリュー軸中心から前記壁面に垂線をなす方向における前記壁面とスクリュー羽根の半径方向先端の間隔が、前記下部ケーシングとスクリュー羽根先端の半径方向間隔以下になるように設定されていることが望ましい。
【００１６】
さらに、前記ホッパ内のごみ堆積レベルを検知出力する堆積レベル検知手段と、前記ホッパに投入されたごみのスクリュー軸長手方向落下位置を変更可能なごみ投入位置変更手段を備え、前記ごみ投入位置変更手段は堆積レベル検知手段のごみレベル検出値を入力として動作することとするのが望ましい。
【００１７】
前記ごみ投入位置変更手段は、回転軸の周囲に揺動して所望の姿勢に固定される板状部材を含んで構成し、該板状部材はその上面に落下したごみをその傾斜面に沿ってすべり落とすことで、ごみのホッパへの落下位置を変更させることとしてもよいし、ホッパに投入されたごみが通過する位置に進退可能に配置された板状部材を含んで構成し、該板状部材は、先端側が低くなる方向に傾斜した状態で進退するようにして、ごみのホッパへの落下位置を変更させることとしてもよい。
【００１８】
前記スクリュー軸には複数のスクリュー羽根が植設され、そのうちの少なくとも一つは、スクリューコンベアの出側部分にのみ設けられている短いスクリュー羽根であることが望ましい。
【００１９】
前記短いスクリュー羽根は、その半径方向高さが、スクリューコンベアの出側端部では他のスクリュー羽根と同じ高さであり、該短いスクリュー羽根の反対側端部では、半径方向高さが次第に低くなるように形成されていることが望ましい。
【００２０】
１軸式スクリューコンベアの場合、スクリュー上のごみが回転方向の壁面に押し付けられる傾向にある。この時、スクリュー軸の中心より上側でかつスクリューの回転によりごみが引き込まれる側のホッパの壁面が、スクリュー軸長手方向に直交する断面において、スクリュー軸側に傾斜している形状であると、ごみの重心がスクリューの中心から外れる量が少なくて済み、搬送効率の低下が少ない。
【００２１】
ごみの挙動はごみの形状、比重及びスクリューの搬送能力により異なるが、ホッパにホッパ内のごみの堆積状況を検知する堆積レベル検知手段を設け、この堆積レベル検知手段の検出値に基づいてごみ投入位置を変更することで、ごみ堆積量の減少によるマテリアルシールの低下を回避できる。また、必要以上にスクリューコンベア出側にごみを堆積しないようにごみ投入位置を変更することで、ごみを過度に圧密することがなく動力も小さく抑えることも可能になる。すなわち、堆積レベル検知手段とごみ投入位置変更手段により、効率的なごみの貯留が可能になるので安定したシール性が確保でき、少ないごみ堆積量でのシール性確保が可能となるため圧密による供給不良を起こしにくくなる。
【００２２】
スクリューに噛み込まれたごみは排出されるまで周辺のごみを引きずり込みながら搬送されていく。引きずり込み圧密して絡み合ったごみがドサ落ちとなる。スクリューコンベアの排出部近傍にスクリュー羽根を追加して排出部近傍のスクリュー羽根を他の部分より多条化し、羽根ピッチ内のスペースを分割することで、圧密されて絡み合ったごみが分けられ、大きなかたまりでドサ落ちすることが抑制される。スクリュー羽根のコンベア出側付近での多条化は、コンベア全体でスクリューピッチを狭くすることとは全く異なる。スクリューピッチを狭くすると圧密させることになるが、多条化は羽根ピッチを分割するだけなので圧密させることにはならない。
【００２３】
また、スクリューコンベアの排出部近傍にスクリュー羽根を追加すると、スクリューコンベア出口部のケーシングが筒状、つまりトンネル部になっている場合、シール性を確保するトンネル部でのスクリュー羽根外周端周長さが追加しない場合よりも増加するので、マテリアルシールだけでなく、スクリュー羽根によるシール性、言い換えるとメカシール性が向上する。この結果、マテリアルシールのためのごみの堆積量を減らすことができ、スクリュー噛み込み部での圧密が発生しにくくなってごみ供給が安定する。
【００２４】
追加するスクリュー羽根のコンベア出側の端部の羽根高さは、他の羽根と同じ高さにするが、コンベア出側と反対側の端部の羽根高さは、０から出側に向かって滑らかに高くする。このようにすることで、スクリュー羽根の間に充填されているごみに追加のスクリュー羽根を滑らかに切り込ませてごみを分けることが容易になる。
【発明の効果】
【００２５】
本発明によれば安定したシール性を確保でき、また過度の圧密を抑制できるのでスクリューコンベアの回転数により供給量を調整することが容易になり、ごみ質が変動しても安定した運転で対応が可能となる。また、過度の圧密をさせる必要がないので搬送動力を小さくすることができる。
【００２６】
シール方式がマテリアルシール方式のため、機械式のシール方式のような経年的劣化がないので安定したシール性が長期間維持できる。また、メンテナンスの頻度も少なくランニングコストが低減できる。
【００２７】
また、シール機構と供給設備の一体化が可能となり、機器点数が少なくなってメンテナンスが容易になる効果が得られる。
【発明を実施するための最良の形態】
【００２８】
＜実施の形態１＞
本発明の実施の形態１に係るスクリュー式廃棄物供給装置の全体構成を図１に、図１におけるＡ−Ａ断面のごみホッパ４の形状を図２に示す。
【００２９】
図示のスクリュー式廃棄物供給装置は、ごみが投入される投入ホッパ１と、投入ホッパ１の下方に接続され、投入ホッパ１から落下するごみが堆積されるごみホッパ４と、ごみホッパ４の底部に回転軸の軸線を水平方向にして配置されたスクリューコンベア５と、スクリューコンベア５の出側下方に配置されたロータ６と、ロータ６の外周に接するように配置されたダンパ７と、ロータ６の下方に配置された計量コンベア８と、投入ホッパ１の下部出口に配置されたごみ投入位置変更手段である可動式シュート２と、この可動式シュート２の下方のごみホッパ４内にあってごみホッパ４内のごみ堆積状況を検知、出力する堆積レベル検知手段である複数の検出器３と、ごみホッパ４内のごみに散水する散水手段１０と、制御装置９と、を含んで構成されている。
【００３０】
可動式シュート２は、軸線を水平にして配置され図示されていない軸受で支持されたシュート回転軸２ａと、このシュート回転軸２ａの周囲に固着された板状部材であるフラップ２ｂと、前記シュート回転軸２ａを指示された揺動角度に揺動させてその姿勢に保持する回転手段２ｃと、を含んで構成されている。前記シュート回転軸２ａは、その軸線が、スクリューコンベア５のスクリュー軸の軸線に直交するように配置され、回転手段２ｃは、前記フラップ２ｂを、シュート回転軸２ａの下方に垂れ下がる揺動角度０の状態から水平位置になる揺動角度９０の状態までの間の任意の角度に揺動、保持する。回転手段２ｃとしては、本実施の形態では電動機を用いたが、油圧或いは空圧によりフラップ２ｂを作動させてもよい。フラップ２ｂの傾きを変えることにより、ごみホッパ４へのごみの投入位置を変化させる。なお、可動式シュート２の設置位置は、ごみホッパ４の上部であってもよい。
【００３１】
検出器３は、ごみホッパ４の壁面内側に設置され、ごみホッパ４内の複数箇所、少なくともスクリューコンベア５の出側に近い位置及びスクリューコンベア５の出側と反対側に近い位置でのごみ堆積レベルを、検知、出力する。なお、検出器３としては、パドル式や静電容量式のレベル検出器が使用できる。
【００３２】
散水手段１０は、ごみホッパ４の壁面内側に設置された散水ノズル１０ａと、この散水ノズル１０ａに加圧された水を供給する給水管１０ｂと、この給水管に介装された遠隔操作で開度調整可能な遠隔操作弁１０ｃとを含んで構成されている。
【００３３】
スクリューコンベア５は、スクリュー軸５ａとその周囲に螺旋状に植設されたスクリュー羽根からなるスクリューと、スクリュー軸を回転駆動するモータ５ｃと、スクリュー軸５ａを支持する軸受とを含んで構成されている。ごみホッパ４のスクリューコンベア５の出側壁には筒状に形成された突出部が設けられ、スクリューコンベア５の出側部分は、この筒状の突出部に嵌め込まれている。この筒状の突出部を搬送されるごみも、壁面とスクリューコンベアの間を塞いでマテリアルシールを行う。
【００３４】
また、スクリューコンベア５のスクリュー軸５ａ中心より下方の、スクリューコンベア５の下半部を囲んでごみホッパ４の底部をなす下部ケーシング４ｂは、スクリュー軸５ａに直交する断面を示す図２で表されているように、スクリュー軸５ａの中心と同心の半円弧をなしている。前記筒状の突出部の下半部は、前記円弧と同心、同径の半円筒状となっており、この筒状の突出部の末端には、底面が開放された箱型のロータケーシング１１が接続されている。そして、スクリューコンベア５から排出されるごみが落下する位置に、ロータ６が、その回転軸線を水平方向にかつスクリューコンベア５の回転軸線に直交させて配置されている。
【００３５】
ロータ６は、回転軸と、この回転軸の両端に固着された、回転軸の径よりも大きい径の円板状の側板と、この側板の間に軸方向に配置されて円周を等分する複数の仕切り板とを含んで構成されている。つまり、ロータ６の外周は、二つの側板と複数の仕切り板で区画された複数のポケットに分割されている。二つの側板の半径方向端部と各仕切り板の半径方向端部は、回転軸の中心から同一距離にある。回転軸にはインバータにより回転数制御されるモータが結合されている。
【００３６】
ダンパ７はロータ６の回転側前方に、ロータ６により搬送されるごみを擦り切るために設けられる。ダンパ７は、ロータ６の回転軸の軸線と軸線を平行にし、軸受で回転可能に支持された揺動軸７ａと、この揺動軸７ａに固着された板状部材７ｂと、この板状部材７ｂをロータ６の前記側板外周面に当接させるよう付勢する図示されていない付勢手段と、前記板状部材７ｂをロータ６の外周面から離す方向に加わる力を検出して出力する圧力検出手段と、前記板状部材の姿勢、つまり開度を検出する開度検出手段７ｃを含んで構成されている。揺動軸７ａはロータ６の外周下面よりも上方で且つロータ６を挟んでスクリューコンベア５の端部に対向する位置に配置され、板状部材７ｂの上面がロータ６の前記側板外周面に当接するようになっている。そして、前記板状部材７ｂは、ロータ６が回転するときに、ロータ６外周面が板状部材７ｂを高いほうから低いほうに向かって摺動する方向に配置されている。
【００３７】
板状部材７ｂは、その揺動軸７ａ方向の幅がロータ６の前記側板間の距離よりも大きく、両側板に当接するようになっている。
【００３８】
計量コンベア８は、ロータ６を通過して落下するごみを受ける位置に設置され、支持部にかかる重量を測定し、出力する手段を備えている。
【００３９】
制御装置９は、検出器３の検出値、計量コンベア８の出力信号、ダンパ７の圧力検出手段及び開度検出手段７ｃの出力信号、スクリューコンベア５のモータの電流値を入力として、可動式シュート２の回転手段２ｃ、スクリューコンベア５のモータ、ロータ６のモータ、散水手段１０の遠隔操作弁１０ｃを制御するとともに、燃焼制御を行うよう構成されている。
【００４０】
上記構成の装置において、ごみホッパ４のスクリュー軸５ａに直交する平面での断面（図１のＡ−Ａ断面）における形状は、図２に示すように、スクリュー軸５ａの中心より上部で、スクリューコンベア５が回転によりごみを引き込む側のごみホッパ４の側壁４ａをスクリュー軸５ａ中心側に傾斜させた形状となっている。本実施の形態では、スクリューコンベア５のごみ搬送時の回転方向は、図２に示す断面において、反時計廻りであり、ごみ搬送時にはごみは図上、向かって左側の壁面（側壁４ａ）に沿って引き込まれる。このため、スクリューコンベア５上に堆積したごみの重心がスクリュー軸５ａ中心からずれ、搬送効率が低下しやすい。
【００４１】
しかし、図２に示すように、スクリュー軸５ａの中心より上部で、スクリューコンベア５が回転によりごみを引き込む側のごみホッパ４の側壁４ａをスクリュー軸５ａ中心側に傾斜させた形状とすることにより、ごみの重心がスクリューコンベア５の中心から外れる量が少なくて済み、搬送効率の低下が少ない。したがって、スクリューコンベア５の後方側に堆積されていたごみも、効率よく排出側に搬送され、排出側壁面に近い部分のごみだけが減ってマテリアルシールが低下するのが避けられる。
【００４２】
ごみホッパ４の側壁４ａの傾斜角度は、スクリュー軸５ａ中心から傾斜させた側壁４ａへの垂線方向のスクリュー羽根先端と傾斜させた側壁４ａとの間隙が、スクリュー軸５ａ長手方向に直交する断面におけるスクリュー軸５ａ中心より下部におけるスクリュー羽根の先端とスクリュー下半部を囲む下部ケーシング４ｂとの間隙Ｓ以下になるようにするのが好ましい。
【００４３】
制御装置９には、ごみホッパ４に設けた複数の検出器３から、ごみホッパ４内部の複数箇所に於けるごみの堆積レベルを示す信号が入力される。箇所ごとに予め定めたレベルよりも堆積レベルが低い部位があれば、制御装置９は、可動式シュート２をごみ堆積レベルの低い部位に向けてごみが落下するように作動させてごみの落下位置を変更させ、集中的にその部位に投入する。ごみの落下位置を変更させることにより必要な箇所にごみを集中できるので、ごみ堆積レベル低下によるマテリアルシール性の低下を回避することが可能になる。必要な位置にごみを落下させることで必要最小限のごみを貯留するだけでよくなり、スクリューコンベア５出口付近での圧密が発生しにくく、ドサ落ちが発生しにくくなる。
【００４４】
スクリューコンベア５に噛み込まれてスクリューピッチに納まったごみは連続的に排出されるが、排出部である筒状の突出部、すなわちトンネルまでに周辺のごみを引きずり込むため、トンネルに入りこむときに圧密され、排出時にドサ落ちになりやすい。本実施の形態では、排出口付近のスクリュー羽根の条数を他の部分よりも増やし、噛み込み時のピッチを分割するようにしてある。圧密されたごみは分割されて落下するのでドサ落ちとならない。
【００４５】
ごみが圧密される部位、つまり前記トンネル入口付近から排出口にかけてのスクリュー軸５ａではスクリュー羽根が増やされて２条になっている。すなわち、スクリュー軸全体の長さに亙って連続するスクリュー羽根５ｂと、スクリュー軸先端からスクリュー羽根の１．５ピッチ分の長さに亙って設けられた短いスクリュー羽根５ｂ′がある。スクリュー羽根５ｂとスクリュー羽根５ｂ′のスクリュー軸排出側先端における始点は、互いに１８０°対向した位置として位相を異ならせ、スクリュー羽根５ｂ′がスクリュー羽根５ｂの中間に来るように配置されている。
【００４６】
スクリュー羽根５ｂ′の羽根高さはスクリュー軸先端から１ピッチ分がスクリュー羽根５ｂと同じとなっているが、スクリュー軸先端から１ピッチ分以降、図３に示すように、０．５ピッチ分の間、羽根高さを滑らかに順次低くし、１．５ピッチ分に来た所で羽根高さがゼロになるようにしてある。
【００４７】
スクリュー式脱水機などで用いられるような先端に向けてピッチが狭くなるスクリューでは圧密されてしまうが２条化のスクリューはスクリューピッチを狭くするのとは異なり本来のピッチ間の容積を２分割するものであり圧密されることはない。
【００４８】
上述のようにスクリューコンベア５の排出側近傍のスクリュー羽根を２条化することにより、ごみホッパ４内でコンベアに噛み込まれたごみが、排出部トンネル内で分割されるので、スクリューコンベア５から排出されるごみのかたまりが小分けされ、ドサ落ちになりにくくなる。
【００４９】
また、シール性を確保するトンネル部でのスクリュー羽根先端長さがスクリュー羽根５ｂだけの場合に比べて倍となるので、マテリアルシールだけでなく、ハード面でのシール（メカシール）性が向上する。この結果、ごみホッパ４でのごみ堆積レベルの低減が可能になり、スクリュー噛み込み部での圧密が発生しにくく、次工程へのごみ供給が安定する。
【００５０】
本実施の形態では、スクリュー全長に亙って設けられたスクリュー羽根が１条、追加した短いスクリュー羽根が１条の計２条のスクリュー羽根が設けられているが、要は、圧密されるごみを分割する点にあり、スクリュー全長に亙って設けられたスクリュー羽根が何条であっても、その間を分割するスクリュー羽根を、ごみが圧密される範囲に設ければよい。
【００５１】
また、スクリューコンベア５から排出されて落下したごみは、スクリューコンベア５の排出側端部下方に配置されて回転するロータ６に接触することで更にほぐされ、上を向いているロータ６のポケットに収容される。ロータ６のポケットに収容されたごみは、ロータ６の回転に伴って下方の計量コンベア８に落下する。
【００５２】
また、ロータ６前方にダンパ７の板状部材７ｂが設けられているので、ロータ６に当って飛散したごみは板状部材７ｂ上に回収され、ロータ６の回転とともにまたロータ６のポケットに収容される。ロータ６のポケットにごみがポケット容量を上回って収容された場合には、ロータ６外周面に当接して摺動している板状部材７ｂによりポケット容量を上回ったごみを擦り切ることで定量性を確保することができる。
【００５３】
本実施の形態のスクリュー式廃棄物供給装置は以下の通り制御される。
【００５４】
検出器３により検出されたごみホッパ４内のごみの堆積レベルと、ダンパ７の板状部材７ｂにこの板状部材７ｂをロータ６から離す方向に加わるごみによる圧力を示す信号と、スクリューコンベア５のモータの電流値と、計量コンベア８により検出された計量コンベア８上のごみ重量とが検出信号として制御装置９に入力され、制御装置９はこれらの検出信号により、可動式シュート２のフラップ２ｂを作動させる電動機（或いは油圧、空圧を用いる回転手段）と、スクリュー軸５ａを回転させる電動機と、前記遠隔操作弁１０ｃを制御する信号を出力する。
【００５５】
検出器３の出力信号がごみホッパ４内のスクリューコンベア５出側に近い位置のごみの堆積レベルが予め設定された下限レベルよりも低下したことを示すと、制御装置９は、可動式シュート２のフラップ２ｂを作動させる回転手段（電動機）２ｃを駆動して、投入ホッパ１から送り込まれるごみがごみホッパ４内のスクリューコンベア５出側に近い位置に落下するように、フラップ２ｂの姿勢を変化させる。この結果、投入ホッパ１から送り込まれたごみは、一旦フラップ２ｂに当り、フラップ２ｂの上をスクリューコンベア５出側に向かって滑り落ち、ごみホッパ４内のスクリューコンベア５出側近くに集中的に落下する。
【００５６】
ごみホッパ４内のスクリューコンベア５出側近くのごみ堆積レベルが予め設定された基準レベルまで回復すると、制御装置９は、可動式シュート２のフラップ２ｂを通常の姿勢に復帰させる。
【００５７】
制御装置９のこの操作によりごみホッパ４内で最もごみ堆積レベルが低下しやすいスクリューコンベア５出側近くの部分に優先的にごみを投入することが可能になるため、ごみホッパ４内に多量のごみを堆積させる必要がなくなり、堆積されたごみの自重による圧密やごみホッパ４内でのごみのブリッジが防止できる。
【００５８】
この制御とは別に、計量コンベア８により検出されたごみ重量は重量検出信号としてＷＩＣに入力され、ＷIＣはこの重量検出信号によりスクリュー軸５ａを回転させる電動機と、ロータ６を回転させる電動機を制御する。
【００５９】
さらに、スクリューコンベア５の電動機の電流値を監視し、電流値が低下した場合にごみの堆積レベルが低下したと判断して、可動式シュート２のフラップ２ｂを必要な姿勢に動かすようにしてもよい。
【００６０】
また、ダンパ７の付勢手段は、板状部材７ｂをロータ６から離す方向に加わる力があらかじめ設定された値よりも大きな場合は、板状部材７ｂをロータ６から離すことを容認し、ごみを逃がして落下させる。制御装置９はその時のダンパ開度を検知し、燃焼空気及び炉内圧力設定の制御を先行的に行い排ガス値や燃焼状態の変動を小さく抑える。例えば大きな開度を検知した場合にはドサ落ちが発生すると予測されるので燃焼空気の増加、誘引通風機のダンパ開度、インバータの設定を大きくする等の先行的制御を行うことで炉内圧力変動、一酸化炭素の発生を抑制する。
【００６１】
また、ごみ質の変動により比重が所定の比重を下回った場合には、そのままでは噛み込み効率が低下する。制御装置は、ごみの比重が所定の比重を下回ったことが検知された場合、遠隔操作弁１０ｃを操作してごみホッパ４内に水を噴霧する。水を噴霧することでごみの比重が高くなって噛み込み効率の低下が回避されるので、供給が安定する回転数に維持することができ、安定した運転が可能になる。ごみの比重が小さくなったかどうかは、計量コンベア８で検出される重量に基づき、同じスクリュー軸回転数でも重量が少ないことで判断できる。
【００６２】
本実施の形態によれば安定したシール性を確保でき、また過度の圧密を抑制できるのでスクリューコンベアの回転数により供給量を調整することが容易になり、ごみ質が変動しても安定した運転で対応が可能となる。また、過度の圧密をさせる必要がないので搬送動力を小さくすることができるし、燃焼が安定するので助燃燃料を節減できる。
【００６３】
ごみ供給量５ｔ／ｈｒの供給装置では従来３０ｋｗ程度の動力が必要であったが、本実施の形態のスクリュー式廃棄物供給装置では１１ｋｗの動力で同等の搬送量を確保できる。
【００６４】
シール方式がマテリアルシール方式のため、機械式のシール方式のような経年的劣化がないので安定したシール性が長期間維持できる。また、メンテナンスの頻度も少なくランニングコストが低減できる。
【００６５】
また、シール機構と供給設備の一体化が可能となり、機器点数が少なくなってメンテナンスが容易になる効果が得られる。
＜実施の形態２＞
図４を参照して本発明の実施の形態２に係るスクリュー式廃棄物供給装置を説明する。実施の形態２が前記実施の形態１と異なるのは、図１におけるごみホッパ４のＡ−Ａ断面の形状のみであり、他の構成は前記実施の形態１と同じであるので、同じ構成については図示と説明を省略する。
【００６６】
図４は、ごみホッパ４のスクリュー軸５ａ長手方向に直交する断面（図１のＡ−Ａ断面）における形状を示す図である。図示のように、スクリュー軸５ａ長手方向に直交する断面において、スクリュー軸５ａ中心より下部におけるスクリュー羽根５ｂの先端とスクリューを囲む下部ケーシング４ｂとの間隙Ｓと同一の間隙となるように、スクリュー軸５ａ断面の中心より上までスクリューが回転によりごみを引き込む側の下部ケーシング４ｂを延伸し、延伸された部分より上部にごみホッパ４の側壁４ａをスクリュー軸５ａ中心側に傾斜させて設けてある。
【００６７】
傾斜した側壁４ａの傾斜角度は、スクリュー軸５中心から側壁４ａへの垂線方向のスクリュー羽根５ｂ先端と側壁４ａとの間隙が、スクリュー軸５ａ長手方向に直角な断面におけるスクリュー軸５ａ中心より下部におけるスクリュー羽根５ｂの先端とスクリュー５を囲むケーシング４ｂとの間隙Ｓ以下になるようにするのが好ましい。
【００６８】
本実施の形態によっても、前記実施の形態１と同様の効果が得られる。
＜実施の形態３＞
図５を参照して本発明の実施の形態３に係るスクリュー式廃棄物供給装置を説明する。実施の形態３が前記実施の形態１、２と異なるのは、可動式シュート２のみであり、他の構成は前記実施の形態１、２と同じであるので、図示と説明を省略する。
【００６９】
実施の形態１では、ごみの投入位置を変化させる可動式シュート２に揺動する板状部材を用いたが、実施の形態２では、図５に示すように、スクリュー軸５ａ長手方向に進退可能に構成された板状部材２０ａを用いた。板状部材２０ａは、ごみホッパ４のスクリュー軸５ａを挟んで対向する壁面それぞれに取り付けられたレールに載置され、レールに沿って進退するようになっている。レールはスクリューコンベア５の出側に近い側が低くなる傾斜で斜めになっており、ごみホッパ４のスクリューコンベア５出側と反対側の壁面外側には、板状部材２０ａを収容する収納部２０ｂが設けられている。
【００７０】
板状部材２０ａは、制御部９に制御される駆動手段に駆動され、レールに沿ってスクリュー軸５ａ長手方向に進退する。
【００７１】
検出器３の出力信号がごみホッパ４内のスクリューコンベア５出側に近い位置のごみの堆積レベルが予め設定された下限レベルよりも低下したことを示すと、制御装置９は、可動式シュート２０の板状部材２０ａを作動させる駆動手段を駆動して、投入ホッパ１から送り込まれるごみがごみホッパ４内のスクリューコンベア５出側に近い位置に落下するように、板状部材２０ａを進出させる。この結果、投入ホッパ１から送り込まれたごみは、一旦板状部材２０ａに当り、板状部材２０ａの上をスクリューコンベア５出側に向かって滑り落ち、ごみホッパ４内のスクリューコンベア５出側近くに集中的に落下する。
【００７２】
ごみホッパ４内のスクリューコンベア５出側近くのごみ堆積レベルが予め設定された基準レベルまで回復すると、制御装置９は、板状部材２０ａを通常の位置、たとえば収納部２０ｂに復帰させる。
【００７３】
駆動手段としては、水圧、油圧を用いたピストンーシリンダで進退させるもの、輪になったワイヤロープを駆動する方式、板状部材２０ａにラックを設け、ピニオンで駆動する方式等が適用できる。
【００７４】
本実施の形態によっても、実施の形態１，２と同様の効果が得られる。
【図面の簡単な説明】
【００７５】
【図１】本発明の実施の形態１に係るスクリュー式廃棄物供給装置の全体構成を示す断面図である。
【図２】図１のＡ−Ａ線矢視断面図である。
【図３】図１のＢ−Ｂ線矢視断面図である。
【図４】本発明の実施の形態２に係るスクリュー式廃棄物供給装置の部分断面図である。
【図５】本発明の実施の形態３に係るスクリュー式廃棄物供給装置の全体構成を模式的に示す断面図である。
【符号の説明】
【００７６】
１  投入ホッパ
２  可動式シュート
２ａ  シュート回転軸
２ｂ  フラップ
２ｃ  回転手段
３  検出器
４  ごみホッパ
４ａ  側壁
４ｂ  下部ケーシング
５  スクリューコンベア
５ａ  スクリュー軸
５ｂ、５ｂ  スクリュー羽根
６  ロータ
７  ダンパ
７ａ  揺動軸
７ｂ  板状部材
７ｃ  開度検出手段
８  計量コンベア
９  制御装置
１０  散水手段
１０ａ  散水ノズル
１０ｂ  給水管
１０ｃ  遠隔操作弁
１１  ロータケーシング
２０  可動式シュート
２０ａ  板状部材
２０ｂ  収納部
【図１】
2008303013.tif 000003
【図２】
2008303013.tif 000004
【図３】
2008303013.tif 000005
【図４】
2008303013.tif 000006
【図５】
2008303013.tif 000007